(57)【要約】      （修正有）【課題】板材の強度を確保して強固に接合することができるとともに、接合作業の効率を向上させることができる遊技機の筐体の接合構造を提供する。【解決手段】遊技機の筐体１０の接合構造２００であって、背板８０に配される第一係合部材２２０と、左側板４０、右側板に配される第一被係合部材２３０と、を有する第一接合構造２１０と、背板８０に配される第二係合部材２７０と、底板２０、天板１００に配される第二被係合部材２８０と、を有する第二接合構造２６０と、を備える構成とする。第一係合部材２２０と第一被係合部材２３０、及び、第二係合部材２７０と第二被係合部材２８０、が係合されて接合される。【選択図】図３
0003215941.tif 000002
【実用新案登録請求の範囲】
【請求項１】
第一板材と、第二板材と、第三板材と、が互いに略直交するように接合される遊技機の筐体の接合構造であって、
前記第一板材に配される第一係合部材と、前記第二板材に配される第一被係合部材と、を有する第一接合構造と、
前記第一板材、又は／及び、前記第二板材に配される第二係合部材と、前記第三板材に配される第二被係合部材と、を有する第二接合構造と、
を備え、
前記第一係合部材と前記第一被係合部材、及び、前記第二係合部材と前記第二被係合部材、が係合されて接合されていることを特徴とする遊技機の筐体の接合構造。
【請求項２】
前記第一板材は、前記第二板材との接合面から前記第一係合部材が延設され、
前記第二板材は、外面又は内面に凹部が形成され、前記第一板材との接合面から前記凹部まで貫通する貫通孔が形成され、前記凹部には、前記第一被係合部材が回動可能に配され、
前記第一係合部材が、前記貫通孔を挿通させて配され、
前記第一板材の前記第二板材との接合面に沿った面、又は／及び、前記第二板材の前記第一板材との接合面と内面側において直交する面、には、前記第二係合部材が配され、
前記第三板材の内面側には、前記第二係合部材と係合する前記第二被係合部材が配され、
前記第一被係合部材を回動させることにより、前記第一係合部材と前記第一被係合部材を、係合状態と解除状態とに切り替え可能とされ、
前記第二係合部材と前記第二被係合部材とが嵌め込み構造とされていることを特徴とする請求項１記載の遊技機の筐体の接合構造。
【請求項３】
前記凹部が、前記第二部材の内面から外面に向かう有底孔であることを特徴とする請求項２記載の遊技機の筐体の接合構造。
【請求項４】
前記第一板材が背板で、前記第二板材が側板で、前記第三板材が天板又は底板であることを特徴とする請求項１、２又は３記載の遊技機の筐体の接合構造。
【請求項５】
前記第一接合構造が、前記背板の、前記側板の接合面に沿った移動、及び、前記側板の接合面から離脱する移動を規制し、
前記第二接合構造が、前記背板の、前記天板又は底板の接合面に沿った移動、及び、前記天板又は底板の接合面から離脱する移動を規制することを特徴とする請求項４に記載の遊技機の筐体の接合構造。
【考案の詳細な説明】
【技術分野】
【０００１】
本考案は、遊技機の筐体の接合構造に関するものである。
【背景技術】
【０００２】
従来の遊技機の筐体の接合構造では、隣接する板材、例えば、側板と背板、背板と天板等を接合するようなときには、対応する接合面を対向させてねじ止めしたり、若しくは、Ｌ字状の板金部材を用いてねじ止めしたり、さらには、タッカーを用いてステープルで部材どうしを繋ぎ、その後接着剤を塗布したりしていた。
【考案の概要】
【考案が解決しようとする課題】
【０００３】
上記の従来の遊技機の筐体の接合構造では、ねじ止めをすると筐体を構成する板材がねじにより削り取られることになるため接合強度に問題が生じるとともに、リユースするときの板材の強度に問題が生じるおそれがあった。また、接着剤を使用すると解体するときに接合部分が破損して、リユースできなくなるおそれがあった。
【０００４】
さらに、ねじ止めをするとねじを何度も回転させなければならず、接着剤を使用すると接着剤の乾燥に時間がかかるので、接合作業に時間がかかるという問題があった。
【０００５】
本考案は、上記事情に鑑み、板材の強度を確保して強固に接合することができるとともに、接合作業の効率を向上させることができる遊技機の筐体の接合構造を提供することを目的とする。
【課題を解決するための手段】
【０００６】
請求項１記載の考案では、第一板材と、第二板材と、第三板材と、が互いに略直交するように接合される遊技機の筐体の接合構造であって、
前記第一板材に配される第一係合部材と、前記第二板材に配される第一被係合部材と、を有する第一接合構造と、
前記第一板材、又は／及び、前記第二板材に配される第二係合部材と、前記第三板材に配される第二被係合部材と、を有する第二接合構造と、
を備え、
前記第一係合部材と前記第一被係合部材、及び、前記第二係合部材と前記第二被係合部材、が係合されて接合されている。
【０００７】
これによれば、第一接合構造と、第二接合構造と、を複合的に組み合わせて接合することで、初回の組み付け時、リユース時に、板材の強度を確保して強固に接合することができる。さらに、第一係合部材と第一被係合部材、及び、第二係合部材と第二被係合部材、の係合を簡素な構成として、接合作業の効率を向上させることが可能となる。
【０００８】
また、前記第一板材は、前記第二板材との接合面から前記第一係合部材が延設され、
前記第二板材は、外面又は内面に凹部が形成され、前記第一板材との接合面から前記凹部まで貫通する貫通孔が形成され、前記凹部には、前記第一被係合部材が回動可能に配され、
前記第一係合部材が、前記貫通孔を挿通させて配され、
前記第一板材の前記第二板材との接合面に沿った面、又は／及び、前記第二板材の前記第一板材との接合面と内面側において直交する面、には、前記第二係合部材が配され、
前記第三板材の内面側には、前記第二係合部材と係合する前記第二被係合部材が配され、
前記第一被係合部材を回動させることにより、前記第一係合部材と前記第一被係合部材を、係合状態と解除状態とに切り替え可能とされ、
前記第二係合部材と前記第二被係合部材とが嵌め込み構造とされている。
【０００９】
これによれば、第一被係合部材を回動させて、係合状態と解除状態とに切り替える構造とし、第二係合部材と第二被係合部材とを嵌め込み構造とすることで、従来のねじ止めする場合に比べて、接合作業の効率を向上させることができる。
【００１０】
また、前記凹部を、前記第二部材の内面から外面に向かう有底孔とすれば、有底孔を内面側に配することになり、第一被係合部材を回動させて、第一係合部材と第一被係合部材との係合状態を解除する不正行為を防止することができる。
【００１１】
また、前記第一板材が背板で、前記第二板材が側板で、前記第三板材が天板又は底板である構成とすれば、従来取り付けが困難であった背板を、容易に接合状態とし、かつ、接合を解除することができる。
【００１２】
また、前記第一接合構造が、前記背板の、前記側板の接合面に沿った移動、及び、前記側板の接合面から離脱する移動を規制し、前記第二接合構造が、前記背板の、前記天板又は底板の接合面に沿った移動、及び、前記天板又は底板の接合面から離脱する移動を規制する。
【００１３】
これによれば、側板の背面を接合面とし、背板の上面又は、下面に、対応する天板、又は、底板を配する場合に、好適なものとすることができる。
【図面の簡単な説明】
【００１４】
【図１】本考案の一実施形態の接合構造を備える遊技機の筐体の斜視図である。
【図２】同実施形態の筐体の正面図である。
【図３】図２のＩＩＩ−ＩＩＩ線矢視断面図である。
【図４】図３の部分拡大図である。
【図５】第一係合部材、第一被係合部材の（ａ）は分離させた状態の斜視図、（ｂ）は係合させた状態の斜視図である。
【図６】第二係合部材、第二被係合部材の（ａ）は分離させた状態の斜視図、（ｂ）は係合させた状態の斜視図である。
【考案を実施するための形態】
【００１５】
本考案の遊技機の筐体の接合構造の一実施形態について図面に基づいて説明する。以下の説明では、各図面に付される矢印の、Ｆを前、Ｂを後ろ、Ｒを右、Ｌを左、Ｕを上、Ｄを下、方向とする。
【００１６】
接合構造２００を備える遊技機の筐体１０は、概略的には図１〜３に示すようにＭＤＦ（中質繊維板）製の、底板２０と、側板としての左側板４０及び右側板６０と、背板８０と、天板１００と、を備え、後側が閉塞し、前側が開口した箱状に形成されている。
【００１７】
本実施形態では、遊技機としてのスロットマシンに適用され、筐体１０の開口部分を覆うように、図示しない扉部材が開閉自在に取り付けられ、筐体１０と前記扉部材とで遊技機の箱形ケースが構成される。箱形ケース内には、表示装置、制御基板等で構成される遊技構成装置が収容設置される。
【００１８】
底板２０は、矩形平板状に形成されている。底板２０の左右方向における端部に、左側板４０及び右側板６０が、上方に立設されている。
【００１９】
左側板４０、右側板６０は、平板状で、上方に行くにしたがって幅が狭小となるようにそれぞれ形成され、左右方向からみて上辺が短い略台形状に形成されている。本実施形態では、左側板４０、右側板６０の下辺、上辺の前後方向における長さは、底板２０、天板１００の前後方向における長さよりそれぞれ若干短く形成され、背板８０を、底板２０、天板１００の後端部に配置可能とされている。
【００２０】
背板８０は、矩形平板状に形成され、下端部が底板２０の後端部に載置可能とされ、左右の端部が左側板４０、右側板６０の後端部とそれぞれ接合可能とされ、上端部に天板１００を載置可能とされている。
【００２１】
天板１００は、前後方向における長さが、底板２０より短い矩形平板状で、左側板４０、右側板６０及び背板８０の上端部に載置可能な形状に形成されている。
【００２２】
本実施形態では、背板８０の前面の左右の端部が、左側板４０、右側板６０との接合面８５となり、背板８０の下面が、底板２０との接合面８６となり、背板８０の上面が、天板１００との接合面８７となる。
【００２３】
また、左側板４０、右側板６０の後面が、背板８０との接合面４７、６７となり、左側板４０、右側板６０の下面が、底板２０との接合面４８、６８となり、左側板４０、右側板６０の上面が、底板２０、天板１００との接合面４９、６９となる。
【００２４】
また、底板２０の左右の端部の上面、天板１００の左右の端部の下面が、それぞれ左側板４０、右側板６０との接合面２５、１０５となり、底板２０の後端部の上面、天板１００の後端部の下面が、それぞれ背板８０との接合面２６、１０６となる。
【００２５】
本実施形態では、背板８０の前面が、左側板４０、右側板６０との接合面８５に沿った面となり、底板２０の上面、天板１００の下面が、背板８０との接合面２６、１０６に沿った面となる。また、左側板４０、右側板６０の内面となる面が、背板８０との接合面４７、６７と内面側において直交する面となる。
【００２６】
本考案の要部を以下に説明する。
【００２７】
底板２０の後側の端部には、図１〜３等に示すように、下面から上面まで貫通して形成された円形の後貫通孔２１が、左右方向に沿って二つ配設されている。後貫通孔２１内には、後貫通孔２１に対応した形状に形成された図示しないナット部材が配されている。前記ナット部材を介して、後述する第二接合構造２６０を構成する第二被係合部材２８０が取り付けられている。
【００２８】
底板２０の左右方向における端部には、上面から下面まで貫通して形成された円形の左段付き貫通孔２２、右段付き貫通孔２３が、前後方向に沿って二つずつ配設されている。左段付き貫通孔２２、右段付き貫通孔２３内には、左段付き貫通孔２２、右段付き貫通孔２３に対応した形状に形成された図示しないナット部材が配されている。ナット部材を介して、後述する第三接合構造３１０を構成する第一係合部材２２０が取り付けられている。
【００２９】
左側板４０、右側板６０の内面の後端側には、図１〜４等に示すように、実用新案登録請求の範囲における凹部としての、内面から外面に向かう円形の後有底孔４１、６１が、上下方向に沿って二つずつ形成されている。左側板４０、右側板６０には、背板８０との接合面４７、６７（後面）から後有底孔４１、６１まで貫通する円形の後貫通孔４２、６２が、それぞれ形成されている。後有底孔４１、６１内には、後述する第一接合構造２１０を構成する第一被係合部材２３０を配置可能とされている。後貫通孔４２、６２内には、後述する第一接合構造２１０を構成する第一係合部材２２０を配置可能とされている。
【００３０】
左側板４０、右側板６０の内面の上端側及び下端側には、凹部としての内面から外面に向かう円形の上有底孔４３、６３、下有底孔４５、６５が、前後方向に沿って二つずつ形成されている。左側板４０、右側板６０には、底板２０との接合面４８、６８（下面）から下有底孔４５、６５まで、天板１００との接合面４９、６９（上面）から上有底孔４３、６３までそれぞれ貫通する円形の上貫通孔４４、６４、下貫通孔４６、６６が、それぞれ形成されている。
【００３１】
上有底孔４３、６３、下有底孔４５、６５内に、後述する第三接合構造３１０を構成する第一被係合部材２３０が配置可能とされている。上貫通孔４４、６４、下貫通孔４６、６６内に、後述する第三接合構造３１０を構成する第一係合部材２２０が配置可能とされている。
【００３２】
背板８０の上端部及び下端部には、図１〜４等に示すように、後面から前面まで貫通して形成された円形の上貫通孔８１、下貫通孔８２が、左右方向に沿って二つずつ配設されている。上貫通孔８１、下貫通孔８２内には、上貫通孔８１、下貫通孔８２に対応した形状に形成された図示しないナット部材が配されている。前記ナット部材を介して、後述する第二接合構造２６０を構成する第二係合部材２７０が、それぞれ取り付けられている。
【００３３】
背板８０の左右方向における端部には、後面から前面まで貫通して形成された円形の左貫通孔８３、右貫通孔８４がそれぞれ配設されている。左貫通孔８３、右貫通孔８４内には、左貫通孔８３、右貫通孔８４に対応した形状に形成された図示しないナット部材が配されている。前記ナット部材を介して、後述する第一接合構造２１０を構成する第一係合部材２２０が、それぞれ取り付けられている。
【００３４】
天板１００の後端部には、図１〜４等に示すように、上面から下面まで貫通して形成された円形の後貫通孔１０１が配設されている。後貫通孔１０１内には、後貫通孔１０１に対応した形状に形成された図示しないナット部材が配されている。前記ナット部材を介して、後述する第二接合構造２６０を構成する第二被係合部材２８０が取り付けられている。
【００３５】
天板１００の左右方向における端部には、上面から下面まで貫通して形成された円形の左段付き貫通孔１０２、右段付き貫通孔１０３が配設されている。左段付き貫通孔１０２、右段付き貫通孔１０３内には、左段付き貫通孔１０２、右段付き貫通孔１０３に対応した形状に形成された図示しないナット部材が配されている。ナット部材を介して、後述する第三接合構造３１０を構成する第一係合部材２２０が、それぞれ取り付けられている。
【００３６】
接合構造２００は、第一接合構造２１０と、第二接合構造２６０と、で構成されている。
【００３７】
第一接合構造２１０は、図１〜５に示すように、背板８０に配される第一係合部材２２０と、左側板４０、右側板６０に配される第一被係合部材２３０と、を有している。
【００３８】
本実施形態では、円筒型の偏心カムに固定ピンを合わせ、偏心カムを回転させて係合させる、偏心カム方式の部材が用いられている。
【００３９】
第一係合部材２２０は、上記固定ピンに相当し、円柱状に形成された本体部２２１と、本体部２２１と略同一の径に形成された頭部２２２と、本体部２２１、頭部２２２より小径に形成された首部２２３と、を有している。
【００４０】
第一被係合部材２３０は、上記偏心カムに相当し、軸線方向における両端部が閉塞した円筒状に形成され、周壁部に頭部２２２及び首部２２３が進入可能に切り欠かれた開放部２３１と、開放部２３１の周方向における一端から延設され、首部２２３が進入できるが、頭部２２２は進入できない幅に形成されているスライド溝２３２と、を有している。
【００４１】
第一被係合部材２３０の、組み付けられた状態における、内側に配置される面には、マイナスドライバー等を挿入して回転操作可能とする長孔２３３が形成されている。
【００４２】
第一係合部材２２０は、それぞれ後貫通孔４２、６２内を挿通させて配置されている。
【００４３】
第一被係合部材２３０は、それぞれ後有底孔４１、６１内に、長孔２３３が内側となるように配置されている。
【００４４】
第一被係合部材２３０を、時計回り方向に回転させることで第一被係合部材２３０と係合させ、反時計周りに方向に回転させることで第一被係合部材２３０との係合を解除させることが可能となる。
【００４５】
本実施形態では、第一接合構造２１０は、背板８０と、左側板４０、右側板６０とを係合させたり、係合を解除させたりすることが可能となっている。
【００４６】
第二接合構造２６０は、図１〜４、６に示すように、背板８０に配される第二係合部材２７０と、底板２０及び天板１００に配される第二被係合部材２８０と、を有している。本実施形態では、コネクタと呼ばれる着脱可能な嵌め込み部材が用いられている。
【００４７】
背板８０の左側板４０、右側板６０との接合面８５に沿った面（前面）には、第二係合部材２７０が配置されている。
【００４８】
第二係合部材２７０は、金属製の棒状の部材に合成樹脂を被覆して形成され、円柱状の本体部２７１と、本体部２７１より大径に形成された円盤状のストッパ部２７２を有している。
【００４９】
第二係合部材２７０は、背板８０の上貫通孔８１、下貫通孔８２内に配された図示しないナット部材を介して、背板８０の前面から前方に突出するように取り付けられている。
【００５０】
第二被係合部材２８０は、板状に形成された台座部２８１と、台座部２８１から略Ｃ字状に延設された嵌合部２８２を有している。嵌合部２８２は、弾性変形して第二係合部材２７０の本体部２７１と嵌合可能に形成されている。
【００５１】
第二被係合部材２８０は、底板２０及び天板１００の後貫通孔２１、後貫通孔１０１内に配された図示しないナット部材を介して、底板２０の上面から上方に、天板１００の下面から下方に、突出するようにそれぞれねじ止めされて取り付けられている。
【００５２】
換言すれば、底板２０及び天板１００の内面側に、第二係合部材２７０と係合する第二被係合部材２８０が配置されていることになる。
【００５３】
第三接合構造３１０は、図１〜５に示すように、第一接合構造２１０と同一の、第一係合部材２２０と、第一被係合部材２３０と、を有している。
【００５４】
上有底孔４３、６３、下有底孔４５、６５には、それぞれ第一被係合部材２３０が回動可能に嵌入され、左段付き貫通孔２２、右段付き貫通孔２３、左段付き貫通孔１０２、右段付き貫通孔１０３には、それぞれ第一係合部材２２０が取り付けられている。第三接合構造３１０は、取り付ける向き、移動を規制する方向が異なるが、第一接合構造２１０と同様の構成とされ、同様の機能作用を奏す。
【００５５】
第一被係合部材２３０を、時計回り方向に回転させることで第一被係合部材２３０と係合させ、反時計周りに方向に回転させることで第一被係合部材２３０との係合を解除させることが可能となる。
【００５６】
本実施形態では、左側板４０、右側板６０と、底板２０、天板１００とを係合させたり、係合を解除させたりすることが可能となっている。
【００５７】
遊技機の筐体１０の接合構造２００の組み付け態様を説明する。
【００５８】
左側板４０、右側板６０の上貫通孔４４、６４、下貫通孔４６、６６内に、底板２０、天板１００の第三接合構造３１０を構成する第一係合部材２２０を挿通させ、左側板４０、右側板６０に配される、第三接合構造３１０を構成する第一被係合部材２３０の開放部２３１に首部２２３を進入させる。そして、第三接合構造３１０を構成する第一被係合部材２３０を時計回りに回転させて、図４、図５（ｂ）に示すように、首部２２３と、スライド溝２３２とを係合させる。
【００５９】
上記作業により、底板２０、左側板４０、右側板６０、天板１００が、接合されて矩形枠状に形成される。
【００６０】
次に、左側板４０、右側板６０の後貫通孔４２、６２内に、背板８０に配される第一接合構造２１０を構成する第一係合部材２２０を挿通させ、左側板４０、右側板６０に配される第一接合構造２１０を構成する第一被係合部材２３０の開放部２３１に首部２２３を進入させる。そして、図４、図５（ｂ）に示すように、第一接合構造２１０を構成する第一被係合部材２３０を時計回りに回転させて首部２２３と、スライド溝２３２とを係合させる。それとともに、第二接合構造２６０の嵌合部２８２と本体部２７１とを嵌め合わせて、嵌合状態とする。
【００６１】
上記の作業により、第一接合構造２１０において、第一係合部材２２０と第一被係合部材２３０とが係合され、第二接合構造２６０において、第二係合部材２７０と第二被係合部材２８０とが係合されることになる。
【００６２】
よって、底板２０、左側板４０、右側板６０、天板１００に、背板８０が取り付けられ、筐体１０が完成する。
【００６３】
筐体１０を解体する場合には、上記手順を逆にして行う。これにより、リユースする場合でも、板材の強度を確保して解体作業の効率を向上させることができる。
【００６４】
本実施形態においては、実用新案登録請求の範囲における、第一板材が背板８０で、第二板材が左側板４０で、第三板材が、底板２０であるとみることができる。また、第一板材が背板８０で、第二板材が左側板４０で、第三板材が天板１００であるとみることができるし、第一板材が背板８０で、第二板材が右側板６０で、第三板材が、底板２０であるとみることができるし、第一板材が背板８０で、第二板材が右側板６０で、第三板材が天板１００であるとみることができる。
【００６５】
上記構成の遊技機の筐体１０の接合構造２００では、第一板材としての背板８０と、第二板材としての左側板４０、右側板６０と、第三板材としての底板２０、天板１００、が互いに略直交するように接合される遊技機の筐体の接合構造であって、背板８０に配される第一係合部材２２０と、左側板４０、右側板６０に配される第一被係合部材２３０と、を有する第一接合構造２１０と、背板８０に配される第二係合部材２７０と、底板２０、天板１００に配される第二被係合部材２８０と、を有する第二接合構造２６０と、を備え、第一係合部材２２０と第一被係合部材２３０、及び、第二係合部材２７０と第二被係合部材２８０、が係合されて接合されている。
【００６６】
これによれば、第一接合構造２１０と、第二接合構造２６０と、を複合的に組み合わせて接合することで、初回の組み付け時、リユース時に、板材の強度を確保して強固に接合することができる。さらに、第一係合部材２２０と第一被係合部材２３０、及び、第二係合部材２７０と第二被係合部材２８０、の係合を簡素な構成として、接合作業の効率を向上させることが可能となる。
【００６７】
また、背板８０は、左側板４０、右側板６０との接合面８５から第一係合部材２２０が延設され、左側板４０、右側板６０は、内面に凹部としての後有底孔４１、６１が形成され、背板８０との接合面４７、６７から後有底孔４１、６１まで貫通する後貫通孔４２、６２が形成され、後有底孔４１、６１には、第一被係合部材２３０が回動可能に配され、第一係合部材２２０が、後貫通孔４２、６２を挿通させて配され、背板８０の左側板４０、右側板６０との接合面８５に沿った面には、第二係合部材２７０が配され、底板２０、天板１００の内面側には、第二係合部材２７０と係合する第二被係合部材２８０が配され、第一被係合部材２３０を回動させることにより、第一係合部材２２０と第一被係合部材２３０を、係合状態と解除状態とに切り替え可能とされ、第二係合部材２７０と第二被係合部材２８０とが嵌め込み構造とされている。
【００６８】
これによれば、第一被係合部材２３０を回動させて、係合状態と解除状態とに切り替える構造とし、第二係合部材２７０と第二被係合部材２８０とを嵌め込み構造とすることで、従来のねじ止めする場合に比べて、接合作業の効率を向上させることができる。
【００６９】
また、凹部を、左側板４０、右側板６０の内面から外面に向かう後有底孔４１、６１としているので、後有底孔４１、６１を内面側に配することになり、第一被係合部材２３０を回動させて、第一係合部材２２０と第一被係合部材２３０との係合状態を解除する不正行為を防止することができる。
【００７０】
また、第一板材が背板８０で、第二板材が左側板４０、右側板６０で、第三板材が底板２０、天板１００である構成としているので、従来取り付けが困難であった背板８０を、容易に接合状態とし、かつ、接合を解除することができる。
【００７１】
また、第一接合構造２１０が、背板８０の、左側板４０、右側板６０の接合面４７、６７に沿った移動、及び、左側板４０、右側板６０の接合面４７、６７から離脱する移動を規制し、第二接合構造２６０が、背板８０の、底板２０、天板１００の接合面２５、１０５に沿った移動、及び、底板２０、天板１００の接合面２５、１０５から離脱する移動を規制する。
【００７２】
これによれば、左側板４０、右側板６０の背面を接合面４７、６７とし、背板８０の上面又は、下面に、対応する底板２０、天板１００を配する本実施形態においては、好適な接合構造となる。
【００７３】
本考案の遊技機の筐体の接合構造は上記構成に限定されるものではない。即ち、本考案の要旨を逸脱しない限り各種の設計変更等が可能である。以下に、変形した態様を例示する。
【００７４】
例えば、上記実施例における第三接合構造３１０を、実用新案登録請求の範囲における第二接合構造としてみることができる。
【００７５】
また、第一接合構造２１０を構成する第一係合部材２２０、第一被係合部材２３０を、背板８０と左側板４０、右側板６０に配する構成としたが、背板８０と底板２０、天板１００、にも配する構成とすることも可能である。換言すれば、実用新案登録請求の範囲における、第一接合構造と第二接合構造を、それぞれ第一接合構造２１０で構成することになる。
【００７６】
また、第二接合構造２６０を構成する第二係合部材２７０、第二被係合部材２８０を、背板８０と底板２０、天板１００に配する構成としたが、背板８０と左側板４０、右側板６０にも配する構成とすることも可能である。換言すれば、実用新案登録請求の範囲における、第一接合構造と第二接合構造を、それぞれ第二接合構造２６０で構成することになる。
【００７７】
また、第一板材を底板２０、左側板４０、右側板６０、背板８０、天板１００のいずれかとして、第二板材を、前記以外の底板２０、左側板４０、右側板６０、背板８０、天板１００のいずれかとし、さらに、前記以外の底板２０、左側板４０、右側板６０、背板８０、天板１００のいずれかを第三板材とすることも可能である。
【００７８】
また、底板２０、左側板４０、右側板６０、天板１００で、矩形枠を形成してその内側に背板８０を嵌め合わせる構成とすることも可能である。この場合、第一被係合部材２３０を背板８０に配する構成とし、第一係合部材２２０を左側板４０、右側板６０に配する構成となる。
【００７９】
このような構成とした場合では、背板８０の前面が、左側板４０、右側板６０との接合面と内面側において直交する面となり、左側板４０、右側板６０の内面となる面が、背板８０との接合面に沿った面となる。
【００８０】
換言すれば、第一板材を左側板４０、右側板６０とすると、左側板４０、右側板６０の第二板材となる背板８０との接合面に沿った面（内面）、又は／及び、第二板材となる背板８０の左側板４０、右側板６０との接合面に内面側において直交する面（内面）、に第二係合部材２７０が配されることになる。このような構成としても、接合作業の効率を向上させることができる。
【００８１】
また、第二係合部材２７０を底板２０、天板１００に配する構成とし、第二被係合部材２８０を背板８０に配する構成とすることも可能である。
【００８２】
また、底板２０、左側板４０、右側板６０、背板８０、天板１００の接合面は、適宜変更することが可能である。これに関連して、第一接合構造２１０を構成する第一係合部材２２０と第一被係合部材２３０、第二接合構造２６０を構成する第二係合部材２７０と第二被係合部材２８０、の構成、形状、配置等は適宜変更することができる。
【００８３】
また、底板２０、左側板４０、右側板６０、天板１００の内面から外面に向かう、背板８０の前後方向における厚さと略同一の幅の有底溝を形成して、背板８０をその有底溝内に差し込む構成とした遊技機の筐体にも適用することが可能である。
【００８４】
また、本発明が適用される遊技機は、上記実施形態において示した、スロットマシンに限定されない。例えば、パチンコ、スマートボール等の他の遊技機にも適用することができる。
【符号の説明】
【００８５】
１０  筐体
２０  底板
４０  左側板
４１  後有底孔
４２  後貫通孔
４７  接合面
６０  右側板
６１  後有底孔
６２  後貫通孔
６７  接合面
８０  背板
８５  接合面
１００  天板
２００  接合構造
２１０  第一接合構造
２２０  第一係合部材
２３０  第一被係合部材
２６０  第二接合構造
２７０  第二係合部材
２８０  第二被係合部材
【図１】
0003215941.tif 000003
【図２】
0003215941.tif 000004
【図３】
0003215941.tif 000005
【図４】
0003215941.tif 000006
【図５】
0003215941.tif 000007
【図６】
0003215941.tif 000008
【手続補正書】
【提出日】平成30年2月19日(2018.2.19)
【手続補正１】
【補正対象書類名】実用新案登録請求の範囲
【補正対象項目名】請求項３
【補正方法】変更
【補正の内容】
【請求項３】
前記凹部が、前記第二板材の内面から外面に向かう有底孔であることを特徴とする請求項２記載の遊技機の筐体の接合構造。
【手続補正２】
【補正対象書類名】明細書
【補正対象項目名】００１０
【補正方法】変更
【補正の内容】
【００１０】
また、前記凹部を、前記第二板材の内面から外面に向かう有底孔とすれば、有底孔を内面側に配することになり、第一被係合部材を回動させて、第一係合部材と第一被係合部材との係合状態を解除する不正行為を防止することができる。